(57)【要約】【課題】水量が変化しても液肥の混合割合を一定に保つことができる液肥混合装置を提供する。【解決手段】上記課題を解決するために、流水路中の水３９へ液肥容器から液肥３８を吸引して所定の割合で混合する液肥混合装置１０は、流水路１３と液肥容器の口に嵌合される接続部１４を設けた筒体１０Ａからなり、流水路の中間に絞り通路１５を形成した。  そして、絞り通路を挟んで、上流側流水路１３ａへ液肥容器の上部空間３３に開口連通する高圧導入連通路２０を形成し、下流側流水路１３ｂへ液肥容器の底部空間３２に開口連通して下端部にフィルター部材２５を配設した液肥吸引通路２１と、液肥容器の上部空間３３に開口連通する空気抜き連通路２２を形成した。  また、接続部の液肥容器口端部に高圧導入連通路と空気抜き連通路の容器側開口から滴下する水を液肥容器の内面に導く波形座金２４を用いた導水手段を設けた。【選択図】図１
2005333838.tif 000002
【特許請求の範囲】
【請求項１】
ポンプや水道蛇口等の加圧水源に接続される流水路を流れる加圧水の圧力で液肥容器から液肥を吸引して流水路中の水に所定の割合で混合する液肥混合装置であって、流水路と液肥容器の口に嵌合される接続部を設けた筒体を備え、前記流水路の中間に絞り通路を形成し、前記接続部に、一端が絞り通路の上流側流水路に開口し他端が前記接続部に接続した液肥容器の上部空間に開口する高圧導入連通路と、一端が絞り通路の下流側流水路に開口し他端が同液肥容器の底部空間に開口する液肥吸引通路と、一端が絞り通路の下流側流水路に開口し他端が同液肥容器の上部空間に開口する空気抜き連通路を形成したことを特徴とする液肥混合装置。
【請求項２】
前記液肥容器接続部に、前記高圧導入連通路の容器側開口と空気抜き連通路の容器側開口から滴下する水を前記液肥容器の内面に導く導水手段を設けるようにしたことを特徴とする請求項１に記載の液肥混合装置。
【請求項３】
前記導水手段として、前記高圧側連通路の容器側開口と低圧側連通路の容器側開口が形成された前記液肥容器接続部の端面に波形座金を装着するようにしたことを特徴とする請求項２に記載の液肥混合装置。
【請求項４】
前記液肥吸引通路にフィルター部材を配設するようにしたことを特徴とする請求項１に記載の液肥混合装置。
【発明の詳細な説明】
【技術分野】
【０００１】
本発明はポンプや水道等の加圧水源に接続される水路を流れる水の圧力で液肥容器から液肥を吸引して水路中の水に所定の割合で混合し、液肥希釈液として植物に散布する液肥混合装置に関する。
【背景技術】
【０００２】
この種の混合装置の一形式として、特開２００１−２４５５１５号公報にはパイプの外周部に中空の結合部を突設し、結合部内のパイプ外周面に吸引孔を貫通して形成し、吸引孔に吸引用チューブを接続し、結合部の側面に空気孔を貫通して形成し、結合部を液肥容器の口に接続して液肥容器の上部空間を大気に連通させ、かつ吸引孔とチューブを介して液肥容器の底部空間をパイプに接続するように構成した液肥混合装置が記載されている。
この混合装置は、パイプの一端開口を水道蛇口に接続し、他端開口を散水ノズルに接続して使用される。水道蛇口を開いて水道水を流すと、大気に連通された液肥容器の上部空間と水道水が流れるパイプ内部に連通された容器底部空間との間に圧力差が発生し、容器底部空間から液肥がパイプ中に吸引され、水道水中に混合される。そして、水道水で希釈された液肥が散水ノズルから植物に散布される。
【特許文献１】特開２００１−２４５５１５号
【発明の開示】
【発明が解決しようとする課題】
【０００３】
上記した従来の液肥混合装置は、大気圧とパイプ中を流れる水道水の圧力との圧力差で容器中の液肥が吸引される。従って、水道蛇口から供給される水量、すなわち蛇口の開き具合に応じて液肥の混合量が変化するので、液肥希釈液の濃度が一定しない。
本発明はかかる問題点に鑑み、水量が変化しても液肥の混合割合を一定に保つことができる液肥混合装置を提供することを目的とする。
【課題を解決するための手段】
【０００４】
本発明は上記目的を達成するため、ポンプや水道蛇口等の加圧水源に接続される流水路を流れる加圧水の圧力で液肥容器から液肥を吸引して流水路中の水に所定の割合で混合する液肥混合装置であって、流水路と液肥容器の口に嵌合される接続部を設けた筒体を備え、前記流水路の中間に絞り通路を形成し、前記接続部に、一端が絞り通路の上流側流水路に開口し他端が前記接続部に接続した液肥容器の上部空間に開口する高圧導入連通路と、一端が絞り通路の下流側流水路に開口し他端が同液肥容器の底部空間に開口する液肥吸引通路と、一端が絞り通路の下流側流水路に開口し他端が同液肥容器の上部空間に開口する空気抜き連通路を形成したことを特徴とする。
そして、好ましくは、前記液肥容器接続部に、前記高圧導入連通路の容器側開口と空気抜き連通路の容器側開口から滴下する水を前記液肥容器の内面に導く導水手段を設ける。
また、好ましくは、前記導水手段として、前記高圧側連通路の容器側開口と低圧側連通路の容器側開口が形成された前記液肥容器接続部の端面に波形座金を装着する。
さらに好ましくは、前記液肥吸引路にフィルター部材を配設する。
【発明の効果】
【０００５】
本発明に係る液肥混合装置は、流水路の絞り通路上流側ポートをポンプや水道蛇口等の加圧水源に接続し、流水路の絞り通路下流側ポートを散水ノズルに接続し、液肥容器の口に接続部を接続して使用する。蛇口を開くなどして加圧水を流水路に流すと、高圧導入連通路によって絞り通路上流側流水路に連通された液肥容器の上部空間と液肥吸引通路によって絞り通路下流側流水路に連通された容器底部空間との間に圧力差が発生し、容器底部空間から液肥が液肥吸引通路を通して流水路中に吸引され、流水路を流れる水に混入して希釈され、液肥希釈液がノズルから植物に散水される。しかして、加圧水が流れ始めると、高圧導入連通路を通って水が液肥容器の上部空間に流入し、上部空間の空気が空気抜き連通路を通って絞り通路下流側の流水路中に排出され、上部空間が水で満たされる。
本発明によれば、流水路の中間に設けた絞り通路の上流側と下流側の圧力差で液肥容器の液肥を吸引するので、流通路の水量の変化に拘わらず、一定の圧力差で液肥を吸引できる。このため、液肥の混合割合を一定に保つことができる。また、液肥容器の上部空間の空気が空気抜き連通路を通って排出され、上部空間が水で満たされる、このため、ノズルを閉じたとき、流水路の水が液肥吸引通路を通って液肥容器の底部空間に逆流したり、高圧導入連通路や空気抜き連通路から上部空間に滴下して容器の液肥が攪拌されるのを防止できる。従って、比重が水より大きい液肥中に水が混入して液肥容器の液肥の濃度が薄まるのを防止できる。
【０００６】
また、導水手段を設けることにより、高圧導入連通路の容器側開口と空気抜き連通路の容器側開口から滴下する水を前記液肥容器の内面に導くことができ、両連通路から水が容器中の液肥に滴下して液肥が攪拌されるのをより一層確実に防止できる。
さらに、導水手段として波形座金を用いることにより、低コストで水の滴下による液肥の攪拌を防止できる。
また、フィルター部材を配設することにより、液肥吸引通路の目詰まりを防止し、長期の使用を可能にする。
【発明を実施するための最良の形態】
【０００７】
本発明を実施するため、ポンプや水道蛇口等の加圧水源に接続される流水路を流れる加圧水の圧力で液肥容器から液肥を吸引して流水路中の水に所定の割合で混合する液肥混合装置の最良の形態は、流水路と液肥容器の口に嵌合される接続部を設けた筒体からなる。そして、前記流水路の中間に絞り通路を形成する。
また、前記絞り通路を挟んで、上流側流水路へ液肥容器の上部空間に開口連通する高圧導入連通路を形成し、下流側流水路へ液肥容器の底部空間に開口連通して下端部にフィルター部材を配設した液肥吸引通路と、液肥容器の上部空間に開口連通する空気抜き連通路を形成する。
さらに、前記接続部の液肥容器口部分に前記高圧導入連通路と空気抜き連通路の容器側開口から滴下する水を該液肥容器の内面に導く波形座金を用いた導水手段を設けた。
【実施例】
【０００８】
以下に本発明を図面に基づき説明するに、図１には本発明の一実施例に係る液肥混合装置１０が示されている。この混合装置は筒体１０Ａと波形座金２４及び液肥吸引チューブ２３を備えている。
【０００９】
筒体１０Ａは両端に入口ポート１１と出口ポート１２が形成され、内部に両ポートを連通する流水路１３が形成され、中間部に液肥容器３０の口３１に接続される接続部１４が凸設されている。
【００１０】
流水路１３の中間には絞り通路１５が形成されている。接続部１４には、液肥容器３０の口３１に密接嵌合する嵌合部１６が形成され、嵌合部１６の先端面１６ａ中央部に液肥吸引チューブ２３が接続されるチューブ接続部１７が凸設されている。また、嵌合部の基端部１６ｂにリング溝１８が形成され、リング溝１８にＯリング１９が装着されている。
【００１１】
接続部１４の内部には高圧導入連通路２０と、液肥吸引通路２１と、空気抜き連通路２２が形成されている。高圧導入連通路２０は一端が絞り通路１５の上流側流水路１３ａに開口し、他端が嵌合部１６の先端面１６ａに開口している。液肥吸引通路２１は細径部２１ａと拡径部２１ｂからなり、細径部２１ａが絞り通路１５の下流側流水路１３ｂに開口し、拡径部２１ｂがチューブ接続部１７の先端面に開口している。空気抜き連通路２２は一端が絞り通路１５の下流側流水路１３ｂに開口し、他端が嵌合部１６の先端面１６ａに開口している。
【００１２】
波形座金２４は図２に示すように、４枚の扇形片２４ａを連ねて略円形にした外形を有し、中心部に穴２４ｂが形成されている。各扇形片２４ａは上向きに緩やかに湾曲している。この波形座金２４は穴２４ｂをチューブ接続部１７に嵌合し、該接続部１７に液肥吸引チューブ２３を接続することにより装着される。波形座金２４は扇形片２４ａが高圧導入連通路２０の容器３０側開口端面２０ａと空気抜き連通路２２の容器３０側開口端面２２ａに対向するようにチューブ接続部１７に装着される。
【００１３】
液肥吸引チューブ２３は接続部１４に液肥容器３０の口３１を接続したとき容器の底部３２近傍空間まで延びるように所要の長さを有する。チューブ２３の下端部にはフィルター部材２５が装着されている。このフィルター部材２５は液肥３８に混入している不純物を捕捉して液肥吸引通路２１の細径部２１ａが目詰まりをきたすのを防止する。
【００１４】
本実施例に係る液肥混合装置１０の構造は以上の通りであって、以下にその使用方法を説明する。波形座金２４を装着し、液肥吸引チューブ２３をチューブ接続部１７に接続し、接続部１４を液肥容器３０の口３１に嵌合する。Ｏリング１９が容器３０の口３１に圧接し、接続部１４によって容器３０の口３１が密閉される。入口ポート１１を水道蛇口側ホース３６に接続し、出口ポート１２に散水ノズル側ホース３７を接続する。
【００１５】
水道蛇口を開いて加圧水道水を混合装置１０の流水路１３に流すと、高圧導入連通路２０によって絞り通路１５上流側流水路１３ａに連通された液肥容器３０の上部空間３３と液肥吸引通路２１によって絞り通路１５下流側流水路１３ｂに連通された容器底部３２空間との間に圧力差が発生し、容器３０の底部３２近傍空間から液肥３８が液肥吸引通路２１を通して流水路１３中に吸引され、流水路を流れる水３９に混入して希釈される。そして、液肥希釈液４０がノズルから植物に散水される。
【００１６】
加圧水道水が流れ始めると、高圧導入連通路２０を通って水３９が液肥容器３０の上部空間３３に流入し、上部空間３３の空気が空気抜き連通路２２を通って絞り通路１５下流側流水路１３ｂ中に排出され、上部空間３３が水３９で満たされる。
【００１７】
本実施例に係る混合装置１０によれば、流水路１３の中間に設けた絞り通路１５の上流側１３ａと下流側１３ｂの圧力差で液肥容器３０の液肥３８を吸引するので、流水路１３の水量３９の変化に拘わらず、一定の圧力差で液肥３８を吸引できる。このため、液肥３８の混合割合を一定に保つことができる。また、液肥容器３０の上部空間３３の空気が空気抜き連通路２２を通って排出され、上部空間３３が水３９で満たされる、このため、ノズルを閉じたとき、流水路１３の水が液肥吸引通路２１を通って液肥容器３０の底部空間３２に逆流したり、高圧導入連通路２０や空気抜き連通路２１から上部空間３３に滴下して容器３０の液肥３８が攪拌されるのを防止できる。従って、比重が水３９より大きい液肥３８中に水３９が混入して液肥容器３０の液肥３８の濃度が薄まるのを防止できる。
【００１８】
また、接続部１４に波形座金２４を設けたので、高圧導入連通路２０の容器３０側開口端面２０ａと空気抜き連通路２２の容器３０側開口端面２２ａから滴下する水が座金２４の扇形片２４ａを伝って液肥容器３０の内面に導かれ、内面を伝って容器３０の上部空間３３に入る。このため、両連通路から水が容器３０中の液肥３８に滴下して液肥３８が攪拌されるのを確実に防止できる。
【００１９】
また、フィルター部材２５を液肥吸引チューブ２３の下端部に装着したので液肥吸引通路２１の目図まりを防止し、混合装置１０の長期使用を可能にする。
【図面の簡単な説明】
【００２０】
【図１】本発明の実施例１に係る液肥混合装置と容器を示す横断面図である。
【図２】本発明の実施例１に係る波形座金を示す斜視図である。
【符号の説明】
【００２１】
１０…液肥混合装置、１０Ａ…筒体、１１…入口ポート、１２…出口ポート、１３…流水路、１３ａ…上流側流水路、１３ｂ…下流側流水路、１４…接続部、１５…絞り通路、１６…嵌合部、１６ａ…嵌合部先端面、１６ｂ…嵌合部基端部、１７…チューブ接続部、１８…リング溝、１９…Ｏリング、２０…高圧導入連通路、２０ａ…高圧導入連通路容器側開口端面、２１…液肥吸引通路、２１ａ…液肥吸引通路細径部、２１ｂ…液肥吸引通路拡径部、２２…空気抜き連通路、２２ａ…空気抜き連通路容器側開口端面、２３…液肥吸引チューブ、２４…波形座金、２４ａ…波形座金扇形片、２４ｂ…波形座金中央穴、２５…フィルタ部材。
３０…液肥容器、３１…容器口、３２…容器底部、３３…容器上部空間。
３６…水道蛇口側ホース、３７…散水ノズル側ホース、３８…液肥、３９…水、４０…液肥希釈液。
【図１】
2005333838.tif 000003
【図２】
2005333838.tif 000004